(57)【要約】【課題】デュアル型有機電子発光素子とその製造方法を提供する。【解決手段】メーン基板上にメーン基板スキャンラインと、メーン基板絶縁膜と、メーン基板有機膜と、メーン基板スキャンラインと直交するようにメーン基板データラインとを形成する段階を含むメーン有機電子発光素子の製造段階と、サブ基板上にサブ基板スキャンラインと、サブ基板絶縁膜と、サブ基板有機膜と、サブ基板スキャンラインと直交するようにサブ基板データラインとを形成する段階を含むサブ有機電子発光素子の製造段階と、メーン及びサブ有機電子発光素子をそれぞれエージングするエージング段階と、メーン及びサブ有機電子発光素子を有効画面表示部の縁部に沿って導電性スペーサを含むシーラントを塗布するシーリング段階と、スペーサによって通電された少なくとも何れか１つのメーン及びサブ基板スキャンラインまたはメーン及びサブ基板データラインに駆動信号を伝達する電極ライン用ＦＰＣを接続する段階と、を含むデュアル型有機電子発光素子の製造方法。【選択図】図５
2004110044.tif 000002
【特許請求の範囲】
【請求項１】
　メーン基板と、前記メーン基板上に形成されたストリップ状のメーン基板スキャンラインと、メーン基板データラインとを具備するメーン有機電子発光素子と、
　前記メーン有機電子発光素子と対向するように設置されて、サブ基板と、前記サブ基板上に形成されたストリップ状のサブ基板スキャンラインと、サブ基板データラインと、を具備するサブ有機電子発光素子と、
　前記メーン有機電子発光素子及び前記サブ有機電子発光素子が互いに対向した状態で、前記メーン基板及び前記サブ基板をシーリングして、前記メーン有機電子発光素子のメーン基板有機発光部及び前記サブ有機電子発光素子のサブ基板有機発光部を密閉可能な導電性スペーサを含むシーラントと、
　前記メーン基板または前記サブ基板のうち何れか１つの基板に形成されて、前記メーン基板と前記サブ基板の電極ラインとに接続される少なくとも１つ以上のフレキシブルプリント基板（ＦＰＣ）と、
　を含むことを特徴とするデュアル型有機電子発光素子。
【請求項２】
　前記メーン基板には、メーン基板スキャンラインと、メーン基板データラインとがそれぞれ配置され、前記サブ基板には、サブ基板スキャンラインと、サブ基板データラインとがそれぞれ配置されて、前記メーン基板スキャンライン及び前記サブ基板スキャンライン間と、前記メーン基板データライン及び前記サブ基板データライン間とにはシーラントが介在されたことを特徴とする請求項１に記載のデュアル型有機電子発光素子。
【請求項３】
　前記メーン基板スキャンラインは導電性スペーサによって前記サブ基板スキャンラインと通電されたことを特徴とする請求項２に記載のデュアル型有機電子発光素子。
【請求項４】
　通電されたスキャンラインのうち何れか１つの基板の電極ラインにはスキャンライン用駆動信号を伝達する単一基板のスキャンライン用ＦＰＣが電気的に接続されたことを特徴とする請求項３に記載のデュアル型有機電子発光素子。
【請求項５】
　前記メーン基板データラインは導電性スペーサによって前記サブ基板データラインと通電されたことを特徴とする請求項２に記載のデュアル型有機電子発光素子。
【請求項６】
　通電されたデータラインのうち何れか１つの電極ラインにはデータライン用駆動信号を伝達する単一基板のデータライン用ＦＰＣが電気的に接続されたことを特徴とする請求項５に記載のデュアル型有機電子発光素子。
【請求項７】
　通電されるスキャンラインとデータラインとは前記メーン基板または前記サブ基板のうち何れか１つの基板上から前記スキャンライン用ＦＰＣとデータライン用ＦＰＣとにそれぞれ連結されたことを特徴とする請求項６に記載のデュアル型有機電子発光素子。
【請求項８】
　前記メーン基板スキャンラインは導電性スペーサによって前記サブ基板スキャンラインと通電されており、前記メーン基板データライン及び前記サブ基板データラインは前記導電性スペーサによって通電されていないことを特徴とする請求項２に記載のデュアル型有機電子発光素子。
【請求項９】
　通電されたスキャンラインのうち何れか１つの基板の電極ラインには、スキャンライン用駆動信号を伝達する単一のスキャンライン用ＦＰＣが電気的に接続されたことを特徴とする請求項８に記載のデュアル型有機電子発光素子。
【請求項１０】
　前記メーン基板データラインはメーン基板データライン用駆動信号を伝達するメーン基板データライン用フレキシブルケーブルが電気的に接続されたことを特徴とする請求項８に記載のデュアル型有機電子発光素子。
【請求項１１】
　前記サブ基板データラインはサブ基板データライン用駆動信号を伝達するサブ基板データライン用フレキシブルケーブルが電気的に接続されたことを特徴とする請求項８に記載のデュアル型有機電子発光素子。
【請求項１２】
　前記メーン基板にはメーン基板スキャンラインと、メーン基板データラインとがそれぞれ配置されて、前記サブ基板にはサブ基板スキャンラインと、サブ基板データラインとがそれぞれ配置されて、前記メーン基板スキャンライン及び前記メーン基板データラインにはメーン基板スキャンライン用ＦＰＣ及びメーン基板データライン用ＦＰＣがそれぞれ接続され、前記サブ基板スキャンライン及び前記サブ基板データラインにはサブ基板スキャンライン用ＦＰＣ及びサブ基板データライン用ＦＰＣがそれぞれ接続されたことを特徴とする請求項２に記載のデュアル型有機電子発光素子。
【請求項１３】
　前記メーン基板には一縁部にメーン基板スキャンラインが配置されて、他縁部にメーン基板データラインが配置されたことを特徴とする請求項１に記載のデュアル型有機電子発光素子。
【請求項１４】
　前記サブ基板には前記メーン基板スキャンラインと対向する方向にサブ基板スキャンラインが配置されて、前記メーン基板データラインと対向する方向にサブ基板データラインが配置されたことを特徴とする請求項１３に記載のデュアル型有機電子発光素子。
【請求項１５】
　導電性スペーサは、上下方向に通電され、左右方向に絶縁される異方性導電材であることを特徴とする請求項１に記載のデュアル型有機電子発光素子。
【請求項１６】
　メーン基板スキャンラインとサブ基板スキャンラインとは導電性スペーサによって通電されて、１つのスキャンライン用ＦＰＣに接続されて同じスキャンライン用駆動信号を印加することを特徴とする請求項１に記載のデュアル型有機電子発光素子。
【請求項１７】
　前記メーン基板データラインと前記サブ基板データラインとは導電性スペーサによって通電されて、１つのデータライン用ＦＰＣに接続されて同じデータライン用駆動信号を印加することを特徴とする請求項１に記載のデュアル型有機電子発光素子。
【請求項１８】
　メーン基板と、前記メーン基板上に形成されたストリップ状のメーン基板スキャンラインと、データラインとを具備するメーン有機電子発光素子と、
　前記メーン有機電子発光素子と対向するように設置されて、サブ基板と、前記サブ基板上に形成されたストリップ状のサブ基板スキャンラインと、サブ基板データラインとを具備するサブ有機電子発光素子と、
　前記メーン有機電子発光素子及び前記サブ有機電子発光素子が互いに対向した状態で、前記メーン基板及び前記サブ基板をシーリングして、前記メーン有機電子発光素子のメーン基板有機発光部及び前記サブ有機電子発光素子のサブ基板有機発光部を密閉可能な導電性スペーサを含むシーラントと、
　前記メーン基板または前記サブ基板のうち何れか１つの基板に形成されて、前記サブ基板電極ラインと接続されるフローティング電極ラインと、
　前記シーラントによって互いに通電可能なメーン基板電極ラインとサブ基板電極ラインまたはフローティング電極ラインと接続される少なくとも１つ以上のＦＰＣと、
　を含むことを特徴とするデュアル型有機電子発光素子。
【請求項１９】
　前記フローティング電極ラインは前記メーン基板電極ラインまたは前記サブ基板電極ラインの一側に独立して配置されたことを特徴とする請求項１８に記載のデュアル型有機電子発光素子。
【請求項２０】
　前記フローティング電極ラインが配置された基板には前記フローティング電極ラインが設置される空間を形成するためにメーン基板電極ラインまたはサブ基板電極ラインのピッチが前記フローティング電極ラインの設置されていない基板の電極ラインより狭く形成されたことを特徴とする請求項１９に記載のデュアル型有機電子発光素子。
【請求項２１】
　前記導電性スペーサは上下方向に通電され、左右方向に絶縁される異方性導電材であることを特徴とする請求項１８に記載のデュアル型有機電子発光素子。
【請求項２２】
　互いに通電可能なメーン基板電極ラインとサブ基板電極ラインまたはフローティング電極ラインは、前記メーン基板または前記サブ基板のうち何れか１つの基板上から配置されて電極ライン用少なくとも何れか１つのＦＰＣと連結されたことを特徴とする請求項１８に記載のデュアル型有機電子発光素子。
【請求項２３】
　透明なメーン基板上に、メーン基板スキャンラインと、メーン基板絶縁膜と、メーン基板有機膜と、前記メーン基板スキャンラインと直交するように配置されるメーン基板データラインとを形成する段階を含むメーン有機電子発光素子の製造段階と、
　透明なサブ基板上に、サブ基板スキャンラインと、サブ基板絶縁膜と、サブ基板有機膜と、前記サブ基板スキャンラインと直交するように配置されるサブ基板データラインとを形成する段階を含むサブ有機電子発光素子の製造段階と、
　前記メーン有機電子発光素子及び前記サブ有機電子発光素子をそれぞれエージングするエージング段階と、
　前記メーン有機電子発光素子及び前記サブ有機電子発光素子を前記有機膜が外部と密封されうるように有効画面表示部の縁部に沿って導電性スペーサを含むシーラントを塗布するシーリング段階と、
　前記スペーサによって通電された少なくとも何れか１つのメーン基板スキャンライン及びサブ基板スキャンラインまたはメーン基板データライン及びサブ基板データラインに駆動信号を伝達する電極ライン用ＦＰＣを接続する段階と、
　を含むことを特徴とするデュアル型有機電子発光素子の製造方法。
【請求項２４】
　前記シーラントを塗布するシーリング段階では、
　前記メーン基板スキャンライン及び前記サブ基板スキャンラインまたは前記メーン基板データライン及び前記サブ基板データライン間に前記導電性スペーサを介在させて互いに通電させることを特徴とする請求項２３に記載のデュアル型有機電子発光素子の製造方法。
【請求項２５】
　前記ＦＰＣを接続する段階では、
　通電される前記メーン基板スキャンライン及び前記サブ基板スキャンラインまたは前記メーン基板データライン及び前記サブ基板データラインは前記メーン基板または前記サブ基板のどちらかの基板上から前記スキャンライン用ＦＰＣと前記データライン用ＦＰＣとにそれぞれ連結されたことを特徴とする請求項２３に記載のデュアル型有機電子発光素子の製造方法。
【発明の詳細な説明】
【技術分野】
【０００１】
　本発明は、デュアル型有機電子発光素子に係り、より詳しくは、メーン有機電子発光素子及びサブ有機電子発光素子に備えられた端子に電気的に連結されるフレキシブルプリント基板（以下「ＦＰＣ：flexible printed circuit」という。）の結合構造と駆動方法とが改善されたデュアル型有機電子発光素子とその製造方法に関する。
【背景技術】
【０００２】
　一般的に、有機電子発光素子は、蛍光性有機化合物を電気的に励起、発光させる自発光型ディスプレーであって、低い電圧で駆動可能であり、薄型であるという長所を有する。また、有機電子発光素子は、広い視野角、速い応答速度など液晶表示素子で問題視される短所が解決できる次世代ディスプレーとして注目されている。
【０００３】
　有機電子発光素子の作動原理は次の通りである。電源が供給されると、電子が移動しながら電流が流れるが、陰極では電子が電子輸送層に助けられて発光層に移動し、相対的に陽極では正孔が正孔輸送層に助けられて発光層に移動する。有機物質の発光層で出合った電子と正孔とは高いエネルギーを有する励起子を生成するが、この時、励起子が低いエネルギーに落ちながら光を発生する。発光層を構成している有機物質によってフルカラーが具現できる。
【０００４】
　最近ではフォルダタイプの電子機器で同時に２つの画面をディスプレー可能なデュアル型有機電子発光素子がユーザーによって要求されている。デュアル型有機電子発光素子の構造は、特許文献１、特許文献２、特許文献３に開示されている。
【０００５】
　図１は、従来のデュアル型有機電子発光素子を図示したものである。
【０００６】
　図面を参照すれば、デュアル型有機電子発光素子はメーン有機電子発光素子１０とサブ有機電子発光素子１００とを含む。
【０００７】
　メーン有機電子発光素子１０は基板１１と、基板１１上に形成される有機発光部１２と、有機発光部１２を保護するキャップ１３と、キャップ１３内に設置される吸湿剤１４と、基板１１の前面に設置される偏光板１５とを含む。
【０００８】
　メーン有機電子発光素子１０と結合するサブ有機電子発光素子１００もメーン有機電子発光素子１０と実質的に同じ構造、すなわち基板１１０と、有機発光部１２０と、キャップ１３０と、吸湿剤１４０と、偏光板１５０とを含む。
【０００９】
　前記デュアル型有機電子発光素子はユーザーが図１の矢印で表示した別々の方向で２つのディスプレーを選択的に見るためにメーン有機電子発光素子１０の背面にサブ有機電子発光素子１００が結合されている。
【００１０】
　例えば、フォルダ型の電子機器製品はデュアル型の表示装置を採用して特別な操作なしに外部から直接ウインドーに表示されるパネルの情報を利用でき、これと同時に簡単な操作によってさらに他のウインドーに表示されるパネルの情報を共に利用可能である。
【００１１】
　上記のような構造を有するデュアル型有機電子発光素子を製造する過程を簡略に説明すれば、次の通りである。
【００１２】
　まず、メーン有機電子発光素子１０用基板１１を用意した後に、基板１１上に陽極、絶縁体層、有機膜層、陰極よりなる有機発光部１２をパターン化させ、これを保護するキャップ１３を装着し、基板１１の前面に偏光板１５を付着させる。この時、キャップ１３の内部には密閉された空間から発生した水分を除去するために吸湿剤１４が設置されている。
【００１３】
　一方、サブ有機電子発光素子１００用基板１１０にも有機発光部１２０と、吸湿剤１４０とが設置されたキャップ１３０と、偏光板１５０をそれぞれ装着する。
【００１４】
　次に、メーン有機電子発光素子１０及びサブ有機電子発光素子１００は、画面を表示する部分が互いに反対面に向かうように位置させた状態で互いに結合させる。
【００１５】
　上記の通りに完成されたメーン有機電子発光素子１０及びサブ有機電子発光素子１００の各基板１１、１１０には所定パターンの電極ラインが形成されている。
【００１６】
　図２Ａは、図１のメーン有機電子発光素子１０の電極ラインを図示したものであり、図２Ｂは、図１のサブ有機電子発光素子１００の電極ラインを図示したものである。
【００１７】
　図２Ａを参照すれば、メーン有機電子発光素子１０用基板１１には所定間隔に離隔されるようにストリップ状のメーン基板スキャンライン２１と、メーン基板スキャンライン２１と直交する形態であるストリップ状のメーン基板データライン２２が配置されている。この時、メーン基板スキャンライン２１及びメーン基板データライン２２は前述した有機発光部１２の各電極である。
【００１８】
　図２Ｂを参照すれば、サブ有機電子発光素子１００用基板１１０には所定間隔に離隔されるようにストリップ状のサブ基板スキャンライン２１０と、サブ基板スキャンライン２１０と並ぶ方向にストリップ状のサブ基板データライン２２０が配置されている。サブ基板スキャンライン２１０及びサブ基板データライン２２０は基板１１０の一縁部に集合されている。
【００１９】
　上記のような電極ラインを有するメーン有機電子発光素子１０及びサブ有機電子発光素子１００には図３Ａ及び図３Ｂに図示されたように外部から電源を印加するＦＰＣが接続されている。
【００２０】
　すなわち、図３Ａに図示されたように、メーン有機電子発光素子１０用基板１１には２つの縁部にメーン基板スキャンライン２１と、メーン基板データライン２２とが配置されており、メーン基板スキャンライン２１及びメーン基板データライン２２にはメーン基板スキャンライン用ＦＰＣ３１と、メーン基板データライン用ＦＰＣ３４とがそれぞれ接続可能である。
【００２１】
　メーン基板スキャンライン用ＦＰＣ３１及びメーン基板データライン用ＦＰＣ３４にはメーン基板スキャンライン用配線３２とメーン基板データライン用配線３５とがパターン化されており、メーン基板スキャンライン２１及びメーン基板データライン２２を駆動させる少なくとも１つ以上の駆動チップ３３、３６がそれぞれ配置されている。
【００２２】
　また、図３Ｂに図示されたように、サブ有機電子発光素子１００用基板１１０には一縁部にサブ基板スキャンライン２１０と、サブ基板データライン２２０が引き出されており、サブ基板スキャンライン２１０及びサブ基板データライン２２０にはサブ基板用ＦＰＣ３７が接続されている。サブ基板用ＦＰＣ３７にはサブ基板用配線３８がパターン化されており、サブ基板スキャンライン２１０及びサブ基板データライン２２０を共に駆動させる駆動チップ３９が配置されている。
【００２３】
　ところで、従来のデュアル型有機電子発光素子は次のような問題点を有している。
【００２４】
　第１に、メーン有機電子発光素子１０と、サブ有機電子発光素子１００が接合される部分にそれぞれの吸湿剤１４、１４０を内蔵したキャップ１３、１３０が設置されているので、キャップ１３、１３０の高さによってデュアル型有機電子発光素子が全体的に厚くなる。このように、薄くするのに限界があるので、電子機器の軽薄短小化を充足できない。
【００２５】
　第２に、メーン有機電子発光素子１０のメーン基板スキャンライン及びメーン基板データライン２２に接続されるメーン基板スキャンライン用ＦＰＣ３１及びメーン基板データライン用ＦＰＣ３４と、これに実装される複数の駆動チップ３３、３６と、サブ有機電子発光素子１００のサブ基板スキャンライン２１０及びサブ基板データライン２２０に接続されるサブ基板用ＦＰＣ３７と、これに実装される少なくとも１つ以上の駆動チップ３９とが必要なので、駆動チップ３３、３６、３９の設計が複雑になり、コスト上昇の要因になる。
【特許文献１】特開平１０−２５５９７４号公報
【特許文献２】特開２０００−５８２６０号公報
【特許文献３】特開２００１−３３２３９２号公報
【発明の開示】
【発明が解決しようとする課題】
【００２６】
　本発明は、上記の問題点を解決するためのものであって、両面でそれぞれ個別の画像が具現できる有機電子発光素子のスキャンライン及びデータラインと、これに接続されるＦＰＣの接続方式が改善されたデュアル型有機電子発光素子とその製造方法とを提供することを目的とする。
【課題を解決するための手段】
【００２７】
　前述した目的を達成するために本発明の一側面によるデュアル型有機電子発光素子は、メーン基板と、前記メーン基板上に形成されたストリップ状のメーン基板スキャンラインと、メーン基板データラインを具備するメーン有機電子発光素子と、前記メーン有機電子発光素子と対向するように設置されて、サブ基板と、前記サブ基板上に形成されたストリップ状のサブ基板スキャンラインと、サブ基板データラインと、を具備するサブ有機電子発光素子と、前記メーン有機電子発光素子及び前記サブ有機電子発光素子が互いに対向した状態で、前記メーン基板及び前記サブ基板をシーリングして、前記メーン有機電子発光素子のメーン基板有機発光部及び前記サブ有機電子発光素子のサブ基板有機発光部を密閉可能な導電性スペーサを含むシーラントと、前記メーンまたはサブ基板のうち何れか１つの基板に形成されて、前記メーンとサブ基板の電極ラインと接続される少なくとも１つ以上のフレキシブルプリント基板（ＦＰＣ）と、を含む。
【００２８】
　本発明の他の側面によるデュアル型有機電子発光素子は、メーン基板と、前記メーン基板上に形成されたストリップ状のメーン基板スキャンラインと、データラインとを具備するメーン有機電子発光素子と、前記メーン有機電子発光素子と対向するように設置されて、サブ基板と、前記サブ基板上に形成されたストリップ状のサブ基板スキャンラインと、サブ基板データラインとを具備するサブ有機電子発光素子と、前記メーン有機電子発光素子及び前記サブ有機電子発光素子が互いに対向した状態で、前記メーン基板及び前記サブ基板をシーリングして、前記メーン有機電子発光素子のメーン基板有機発光部及び前記サブ有機電子発光素子のサブ基板有機発光部を密閉可能な導電性スペーサを含むシーラントと、前記メーンまたはサブ基板のどちらかの基板に形成されて、前記サブ基板電極ラインと接続されるフローティング電極ラインと、前記シーラントによって互いに通電可能なメーンとサブ基板電極ラインまたはフローティング電極ラインと接続される少なくとも１つ以上のＦＰＣと、を含む。
【００２９】
　本発明の一側面によるデュアル型有機電子発光素子の製造方法は、透明なメーン基板上にメーン基板スキャンラインと、メーン基板絶縁膜と、メーン基板有機膜と、前記メーン基板スキャンラインと直交するように配置されるメーン基板データラインとを形成する段階を含むメーン有機電子発光素子の製造段階と、透明なサブ基板上にサブ基板スキャンラインと、サブ基板絶縁膜と、サブ基板有機膜と、前記サブ基板スキャンラインと直交するように配置されるサブ基板データラインとを形成する段階を含むサブ有機電子発光素子の製造段階と、前記メーン有機電子発光素子及び前記サブ有機電子発光素子をそれぞれエージングするエージング段階と、前記メーン有機電子発光素子及び前記サブ有機電子発光素子を前記有機膜が外部と密封できるように有効画面表示部の縁部に沿って導電性スペーサを含むシーラントを塗布するシーリング段階と、前記スペーサによって通電された少なくとも何れか１つのメーン基板スキャンライン及びサブ基板スキャンラインまたはメーン基板データライン及びサブ基板データラインに駆動信号を伝達する電極ライン用ＦＰＣを接続する段階と、を含む。
【発明の効果】
【００３０】
　本発明のデュアル型有機電子発光素子とその製造方法は、次のような効果が得られる。
【００３１】
　メーン及びサブ有機電気発光素子は、異方性の導電性スペーサを含むシーラントによって有効化画面表示部が密閉されているので、薄くすることができて、メーン基板に形成されるメーン基板スキャン及びデータラインと、サブ基板に形成されるサブ基板スキャン及びデータラインが異方性の導電性スペーサによって選択的に通電されるので、これらに電気的信号を伝達する駆動チップの数を大幅に減らせる。これによって、有機電子発光素子を革新的に薄くできて、駆動方法の変更でコストを節減できる。
【００３２】
　また、導電性スペーサを含むシーラントを利用してメーン及びサブ有機電子発光素子を駆動するフレキシブルプリンティッドケーブル（基板）を何れかの１つの基板上に付着させることによって作業性が向上される。
【発明を実施するための最良の形態】
【００３３】
　以下、図面を参照しながら本発明の望ましい実施形態によるデュアル型有機電子発光素子を詳細に説明する。
【００３４】
　図４は、本発明の第１実施形態によるデュアル型有機電子発光素子４０を図示したものである。
【００３５】
　図面を参照すれば、前記デュアル型有機電子発光素子はメーン有機電子発光素子４０と、メーン有機電子発光素子４０と結合されて矢印で表示したように両面で画像をディスプレーできるサブ有機電子発光素子４００とを含む。
【００３６】
　メーン有機電子発光素子４０には透明な素材でできたメーン基板４１が備えられている。メーン基板４１上にはメーン基板有機発光部４２が形成されている。
【００３７】
　メーン基板有機発光部４２は第１電極ラインのメーン基板スキャンラインと、前記メーン基板スキャンラインが露出されるように形成されるメーン基板絶縁膜と、前記メーン基板絶縁膜と直交するメーン基板有機膜層と、前記メーン基板有機膜層に形成される第２電極ラインのメーン基板データラインとを含む。
【００３８】
　メーン基板有機発光部４２は外部から水分の浸透などが発生することを防止するために透明エポキシのようなメーン基板パッシベーション層４３で覆われている。一方、メーン基板４１の前面にはメーン偏光板４５が付着されている。
【００３９】
　サブ有機電子発光素子４００にもサブ基板４１０が備えられている。サブ基板４１０上にはサブ基板有機発光部４２０が形成されている。
【００４０】
　サブ基板有機発光部４２０は第３電極ラインであるサブ基板スキャンラインと、サブ基板絶縁膜と、サブ基板有機膜層と、第４電極ラインのサブ基板データラインとを含む。
【００４１】
　サブ基板有機発光部４２０はサブ基板パッシベーション層４３０によって埋め込まれている。サブ基板４１０の前面にはサブ偏光板４５０が付着されている。
【００４２】
　この時、サブ基板４１０上に形成されたサブ基板有機発光部４２０と、サブ基板パッシベーション層４３０はメーン基板４１上に形成されたメーン基板有機発光部４２と、メーン基板パッシベーション層４３と対向するように形成されている。また、メーン基板パッシベーション層４３及びサブ基板パッシベーション層４３０間には吸湿剤シートが追加で設置されうる。
【００４３】
　一方、メーン基板４１上にはメーン基板有機発光部４２と、メーン基板有機発光部４２と選択的に通電されるサブ基板有機発光部４２０と電気的に接続される電極ライン４９とが引き出されている。
【００４４】
　ここで、メーン有機電子発光素子４０及びサブ有機電子発光素子４００が結合される部分には少なくとも何れか１つの基板上にシーラント４４によって密封可能である。シーラント４４は有効画面表示部の外側領域の縁部に沿って基板上に塗布されている。
【００４５】
　シーラント４４はメーン基板４１及びサブ基板４１０の両側共に形成させるより、基板４１、４１０のどちらかの基板に形成させるのが製造工程を単純化できて望ましい。
【００４６】
　一方、シーラント４４には導電性スペーサが混合されている。これにより、電極ライン４９を通じてメーン基板有機発光部４２及びサブ基板有機発光部４２０が選択的に通電可能である。これについては、追って詳細に説明する。
【００４７】
　上記のような構造を有するデュアル型有機電子発光素子は対向するメーン基板４１及びサブ基板４１０間を全体的に厚くする要因として作用するキャップが除外された状態で互いに接合可能なので、大幅に薄くできる。また、メーン基板有機発光部４２及びサブ基板有機発光部４２０はそれぞれメーン基板パッシベーション層４３及びサブ基板パッシベーション層４３０によって埋め込まれるので、外部から水分の侵入を防止できる。
【００４８】
　図５は、本発明の第２実施形態によるデュアル型有機電子発光素子を図示したものであり、図６Ａは、図５のメーン有機電子発光素子の電極ラインを図示したものであり、図６Ｂは、図５のサブ有機電子発光素子の電極ラインを図示したものである。
【００４９】
　図５、図６Ａ及び図６Ｂを参照すれば、デュアル型有機電子発光素子は両面で画像をディスプレーできるようにメーン有機電子発光素子５０と、メーン有機電子発光素子５０と対向するように設置されるサブ有機電子発光素子５００とを含む。
【００５０】
　メーン有機電子発光素子５０には光を透過させるために透明な素材でできたメーン基板５１が備えられている。メーン基板５１上にはメーン基板有機発光部５２が形成されている。
【００５１】
　メーン基板有機発光部５２にはメーン基板５１の上面に所定間隔に離隔されて配置されたストリップ状の第１電極ラインであるメーン基板スキャンライン５３と、メーン基板スキャンライン５３が形成されたメーン基板５１の上面に画素をなすように形成されたメーン基板絶縁膜５４と、メーン基板スキャンライン５３と直交するように形成されたメーン基板有機膜５５と、メーン基板有機膜５５の上面に所定間隔に離隔されて配置されたストリップ状の第２電極ラインのメーン基板データライン５６とを含む。メーン基板スキャン及びデータライン５３、５６は互いに直交している。
【００５２】
　サブ有機電子発光素子５００にも透明な素材でできたサブ基板５１０が備えられている。サブ基板５１０上にはサブ基板有機発光部５２０が形成されている。サブ基板有機発光部５２０はメーン基板有機発光部５２と実質的に同じ構造を有する。
【００５３】
　すなわち、サブ基板有機発光部５２０は第３電極ラインのサブ基板スキャンライン５３０と、サブ基板絶縁膜５４０と、サブ基板有機膜５５０と、第４電極ラインのサブ基板データライン５６０とを含み、サブ基板スキャンライン５３０及びサブ基板データライン５６０は互いに直交している。
【００５４】
　メーン有機電子発光素子５０及びサブ有機電子発光素子５００の背面を互いに付着するシーラント５７はメーン基板５１及びサブ基板５１０の有効画面表示部の外側領域の縁部に沿って塗布されてメーン基板有機発光部５２及びサブ基板有機発光部５２０が外部に露出されないようにするのが水分の浸透を防止できるので望ましい。シーラント５７には導電性スペーサが混合されている。
【００５５】
　シーラント５７によって区画された密閉領域にはシーラント５７を通じて浸透された水分によってメーン基板有機発光部５２及びサブ基板有機発光部５２０のメーン基板有機膜５５及びサブ基板有機膜５５０の損傷を防止するために吸湿剤５７０が設置されている。吸湿剤５７０はサブ基板有機発光部５２０の縁部に形成された引き込み部内に設置されて、その流出を防止するために多孔性テープが付着されている。
【００５６】
　この時、メーン基板スキャンライン５３はメーン基板５１の一縁部５１ａに沿って所定間隔に離隔されて集合されており、メーン基板データライン５６はメーン基板５１の他縁部５１ｂに沿って配置されている。サブ基板スキャンライン５３０はサブ基板５１０の一縁部５１１に沿って集合されており、サブ基板データライン５６０はサブ基板５１０の他縁部５１２に沿って配置されている。
【００５７】
　ここで、メーン基板５１にはメーン有機電子発光素子５０とサブ有機電子発光素子５００とを共に駆動可能に外部から電源を印加するＦＰＣが接続されている。
【００５８】
　すなわち、メーン基板５１にはメーン基板スキャンライン５３及びメーン基板データライン５６とそれぞれ接続されるスキャンライン用ＦＰＣ６１と、データライン用ＦＰＣ６４とが備えられている。スキャンライン用ＦＰＣ６１にはサブ基板５１０のサブ基板スキャンライン５３０が共に接続可能であり、データライン用ＦＰＣ６４にもサブ基板５０１のサブ基板データライン５６０が共に通電可能である。スキャンライン用ＦＰＣ６１及びデータライン用ＦＰＣ６４にはスキャンライン用配線６２と、データライン用配線６５とがパターン化されており、これと連結される少なくとも１つ以上の駆動チップ６３、６６がそれぞれ配置されている。
【００５９】
　この時、メーン有機電子発光素子５０及びサブ有機電子発光素子５００の有効画面表示部の縁部に沿って塗布されるシーラント５７には導電性スペーサが介在されている。このような導電性スペーサを含有したシーラント５７は、図７に図示されたようにメーン基板５１上に形成されたメーン基板スキャンライン５３と、サブ基板５１０上に形成されたサブ基板スキャンライン５３０間に塗布されて互いに通電させている。また、メーン基板データライン５６と、サブ基板データライン５６０間にも塗布されている。
【００６０】
　シーラント５７に含まれた導電性スペーサは上下方向には導電性が生じるが、左右方向には絶縁が維持される性質の異方性導電材よりなるのが望ましい。
【００６１】
　これにより、図５に図示されたように、メーン基板スキャンライン５３及びサブ基板スキャンライン５３０は互いに短絡されており、メーン基板スキャンライン５３及びサブ基板スキャンライン５３０はスキャンライン用ＦＰＣ６１を通じて電源印加時に、同時に電流が流れる。これはメーン基板スキャンライン５３及びサブ基板スキャンライン５３０に同じ電気的信号を印加する場合である。また、メーン基板データライン５６及びサブ基板データライン５６０も互いに短絡されている。
【００６２】
　結果的に、メーン有機電子発光素子５０と、これと背面で結合されるサブ有機電子発光素子５００は単一のスキャンライン用ＦＰＣ６１と、データライン用ＦＰＣ６４とによって駆動可能である。
【００６３】
　この時、スキャンライン用ＦＰＣ６１及びデータライン用ＦＰＣ６４にパターン化されたスキャンライン用配線６２及びデータライン用配線６５はメーン基板スキャンライン５３及びサブ基板スキャンライン５３０と、メーン基板データライン５６及びサブ基板データライン５６０と対応されて接続されるように設計されねばならない。
【００６４】
　このような構成を有するデュアル型有機電子発光素子はメーン基板スキャンライン５３及びサブ基板スキャンライン５３０間と、メーン基板データライン５６及びサブ基板データライン５６０間とにそれぞれ導電性スペーサを含むシーラント５７が介在されるので、短絡されている。
【００６５】
　したがって、メーン基板５１から引き出される単一のスキャンライン用ＦＰＣ６１及びデータライン用ＦＰＣ６４に所定の電源が印加されれば、携帯機器のカバーが閉じられた時には上部側に位置したサブ有機電子発光素子５００の画像をディスプレーし、カバーが開いた時には下部側に位置したメーン有機電子発光素子５０の画像をディスプレーしてユーザーが視覚的に観察できる。この時、メーン有機電子発光素子５０及びサブ有機電子発光素子５００には共に電流が印加されている。
【００６６】
　上記のような構造を有するデュアル型有機電子発光素子の製造方法を説明すれば、次の通りである。
【００６７】
　まず、メーン有機電子発光素子５０のメーン基板５１を準備する。メーン基板５１は透明な素材、例えば、ガラスが望ましい。メーン基板５１の上面に所定パターンのストリップ状のメーン基板スキャンライン５３を形成する。メーン基板スキャンライン５３は透明な導電膜、例えば、ＩＴＯ膜よりなっており、メーン基板スキャンライン５３と対応したパターンを有するフォトマスクを利用して露光、現像、エッチング等のプロセスにより形成される。
【００６８】
　次に、メーン基板スキャンライン５３が形成されたメーン基板５１上にメーン基板絶縁膜５４を形成する。メーン基板絶縁膜５４はフォトリソグラフィ工程を通じてメーン基板スキャンライン５３と直交する方向に多数のストリップ状に形成したり、画素形成部をなすメーン基板スキャンライン５３が所定のパターンで露出されるようにメーン基板５１の一縁部５１ａに露出される部分を除いてメーン基板５１の全面に形成されうる。
【００６９】
　メーン基板絶縁膜５４の形成が完了すれば、メーン基板５１とメーン基板スキャンライン５３と、メーン基板絶縁膜５４上にメーン基板有機膜５５を形成する。メーン基板有機膜５５の形成時には正孔輸送層と、発光層と、電子輸送層とをそれぞれ形成する。
【００７０】
　メーン基板有機膜５５の形成が完了すれば、メーン基板有機膜５５の上面にメーン基板スキャンライン５３と直交する方向にストリップ状のメーン基板データライン５６を形成する。メーン基板データライン５６は導電性に優れた金属材、例えば、アルミニウム、銀、銀合金などの金属を蒸着して形成されうる。
【００７１】
　一方、メーン有機電子発光素子５０が製造される間に、これと同様の方法でサブ有機電子発光素子５００を製造する。
【００７２】
　上記のようにメーン有機電子発光素子５０とサブ有機電子発光素子５００との製造が完了すれば、これらをそれぞれエージングする。それぞれのエージングが完了すれば、メーン有機電子発光素子５０のメーン基板５１と、サブ有機電子発光素子５００のサブ基板５１０の有効画面表示部の縁部をシーラント５７を利用して接合してメーン基板有機発光部５２とサブ基板有機発光部５２０とを外部から遮断する。
【００７３】
　この時、シーラント５７内には導電性スペーサが含まれているので、メーン基板スキャンライン５３及びサブ基板スキャンライン５３０はシーラント５７によって互いに通電される。また、メーン基板データライン５６及びサブ基板データライン５６０もシーラント５７によって電気的に通電されている。
【００７４】
　一方、シーラント５７のシーリング前に、サブ基板５１１の一側に引き込み溝を形成し、この溝に吸湿剤５７０を充電して多孔性テープを利用してサブ基板５１１に付着させられる。
【００７５】
　このように完成されたデュアル型有機電子発光素子はメーン基板５１の一縁部５１ａに引き出されてシーラント５７によって通電されるメーン基板スキャンライン５３及びサブ基板スキャンライン５３０にスキャンライン用ＦＰＣ６１を接続する。また、メーン基板５１の他縁部５１ｂに引き出されて通電されるメーン基板データライン５６及びサブ基板データライン５６０にデータライン用ＦＰＣ６４を接続する。
【００７６】
　これにより、一方の基板５１から単一のスキャンライン用ＦＰＣ６１及びデータライン用ＦＰＣ６４によってメーン有機電子発光素子５０及びサブ有機電子発光素子５００の同時駆動が可能である。
【００７７】
　図８は、本発明の第３実施形態によるデュアル型有機電子発光素子を図示したものである。
【００７８】
　図面を参照すれば、デュアル型有機電子発光素子はメーン有機電子発光素子８０と、メーン有機電子発光素子８０と対向するように設置されるサブ有機電子発光素子８００を含む。
【００７９】
　メーン有機電子発光素子８０のメーン基板８０ａ上にはメーン基板スキャンライン８８と、メーン基板データライン８９とが互いに直交するように形成されている。メーン基板有機発光部が形成されたメーン基板８０ａ上部にはサブ有機電子発光素子８００が結合されている。サブ有機電子発光素子８００にもサブ基板８１０の上面にサブ基板スキャンラインと、サブ基板データライン８９０とが互いに直交するように形成されている。
【００８０】
　ここで、メーン基板８０ａのメーン基板スキャンライン８８と、サブ基板８１０の内側面にパターン化されたサブ基板スキャンラインは有効画面表示画面の縁部に沿って塗布されるシーラント８７によって互いに電気的に接触されている。シーラント８７には異方性の導電材よりなる導電性スペーサが含まれており、このような異方性のスペーサは上下方向にだけ導電性を有して、左右方向には絶縁性を有する素材である。
【００８１】
　これにより、メーン基板８０ａのメーン基板スキャンライン８８とサブ基板８１０のサブ基板スキャンラインとはシーラント８７によって互いに短絡されている。このように接続されたどちらかの基板８０ａにはメーン有機電子発光素子８０とサブ有機電子発光素子８００とを共に駆動可能に外部から電源を印加するスキャンライン用ＦＰＣ８１が備えられている。スキャンライン用ＦＰＣ８１にはスキャンライン用配線８２がパターン化されており、これと連結される駆動チップ８３が配置されている。このように、メーン基板スキャンライン８３とサブ基板スキャンラインに適用される駆動チップ８３とは共用であり、同じスキャン信号が印加される。
【００８２】
　そして、メーン基板８０ａのメーン基板データライン８９にはメーン基板データライン用ＦＰＣ８４が接続されている。メーン基板データライン用ＦＰＣ８４はメーン基板データライン用配線８５がパターン化されており、これと連結される駆動チップ８６が配置されている。メーン基板データライン用ＦＰＣ８４はメーン基板データライン８９にだけ駆動チップ８６から電気的信号を伝達する。
【００８３】
　また、サブ基板８１０のサブ基板データライン８９０にはサブ基板データライン用ＦＰＣ８４０が接続されている。サブ基板データライン用ＦＰＣ８４０はサブ基板データライン８９０と対応されるサブ基板データライン用配線８５０が設計されており、サブ基板データライン用配線８５０と連結される駆動チップ８６０が配置されている。これにより、外部から印加される電気的信号は駆動チップ８６０を経てサブ基板データライン８９０にだけ伝えられる。
【００８４】
　第２実施形態のデュアル型有機電子発光素子は、図５に図示されたようにメーン基板スキャンライン５３と、サブ基板スキャンライン５３０がシーラント５７によって通電された状態でメーン基板５１から引き出されたメーン基板スキャンライン５３にスキャンライン用ＦＰＣ６１が接続されてメーン基板スキャンライン５３及びサブ基板スキャンライン５３０に同じ信号を印加し、これと同時にメーン基板データライン５６とサブ基板データライン５６０ともシーラント５７によって電気的に接続された状態でメーン基板データライン５６にデータライン用ＦＰＣ６４が接続されて共に信号を印加する。これにより、同じ画像を具現すると言える。
【００８５】
　一方、第３実施形態のデュアル型有機電子発光素子は、図８に図示されたようにメーン基板スキャンライン８８とサブ基板スキャンラインとがシーラント８７によって通電されており、メーン基板８０ａから引き出されたメーン基板スキャンライン８８に単一のスキャンライン用ＦＰＣ８１が接続されてメーン基板スキャンライン８８とサブ基板スキャンラインとが駆動チップ８３を共に使用できて同じ信号を印加する。
【００８６】
　一方、メーン基板データライン８９にはメーン基板データライン用ＦＰＣ８４が接続されており、サブ基板データライン８９０にもサブ基板データライン用ＦＰＣ８４０が接続されている。
【００８７】
　これにより、デュアル型有機電子発光素子のカバーが閉じられた時にはサブ有機電子発光素子８００の画像を駆動し、カバーが開いた時にはメーン有機電子発光素子８０の画像を駆動する信号を印加することが可能になる。
【００８８】
　この時、メーン基板８０ａに形成されたメーン基板データライン８９と、サブ基板８１０に形成されたサブ基板データライン８９０とはそれぞれのメーン基板データライン用ＦＰＣ８４及びサブ基板データライン用ＦＰＣ８４０に接続されているので、独立して駆動することが可能である。
【００８９】
　図９は、本発明の第４実施形態によるデュアル型有機電子発光素子を図示したものであって、図８のように相異なる画像を独立して駆動する場合である。
【００９０】
　図面を参照すれば、デュアル型有機電子発光素子はメーン有機電子発光素子９０と、メーン有機電子発光素子９０と結合されるサブ有機電子発光素子９００とを含む。
【００９１】
　メーン有機電子発光素子９０はメーン基板９０ａ上にメーン基板有機発光部が形成されて、このメーン基板有機発光部にメーン基板スキャンライン９８と、メーン基板スキャンライン９８と直交する方向にメーン基板データライン９９とが配置されている。
【００９２】
　メーン基板スキャンライン９８にはメーン基板スキャンライン用ＦＰＣ９１が電気的に接続されている。メーン基板スキャンライン用ＦＰＣ９１にはメーン基板スキャンライン９８と連結されるメーン基板スキャンライン用配線９２が設計されており、メーン基板スキャンライン用配線９２は電気的信号を処理する駆動チップ９３が連結されている。メーン基板データライン９９にはメーン基板データライン用ＦＰＣ９４が連結されている。メーン基板データライン用ＦＰＣ９４にはメーン基板データライン用配線９５と、これと連結される駆動チップ９６とが設計されている。
【００９３】
　そして、サブ有機電子発光素子９００はサブ基板９１０上にサブ基板有機発光部が形成されており、このサブ基板有機発光部からサブ基板スキャンライン９８０と、サブ基板データライン９９０とが配置されている。サブ基板スキャンライン９８０及びサブ基板データライン９９０はサブ基板９１０の一方向に集合されている。このようなサブ基板スキャンライン９８０及びサブ基板データライン９９０はその反対の縁部にも位置できて、同じ縁部で所定間隔に離隔されるように設計されている。
【００９４】
　サブ基板スキャンライン９８０及びサブ基板データライン９９０はサブ基板電極ライン用ＦＰＣ９４０が電気的に接続されている。サブ基板電極ライン用ＦＰＣ９４０はサブ基板スキャンライン９８０及びサブ基板データライン９９０と連結されたサブライン用配線９５０と、サブライン用配線９５０と連結される駆動チップ９６０とを含んでいる。この時、サブ基板スキャンライン９８０及びサブ基板データライン９９０は１つの駆動チップ９６０で駆動が可能に設計されている。
【００９５】
　一方、メーン有機電子発光素子９０及びサブ有機電子発光素子９００は有効画面表示部の縁部に沿ってメーン基板９０ａ及びサブ基板９１０を互いに接合するシーラント９７が塗布されている。シーラント９７は導電性スペーサが混合されうるが、実質的に前記メーン及びサブの電極ラインが互いに通電される場合がないので、適用の必要性はない。
【００９６】
　このように、本実施形態は図８に図示された第３実施形態でのようにデュアル型有機電子発光素子のカバーが閉じられた場合にはサブ有機電子発光素子９００の画像を駆動し、カバーが開いた場合にはメーン有機電子発光素子９０の画像を駆動する信号を印加する方式であって、独立して電気的信号をそれぞれ印加する。
【００９７】
　一方、第３実施形態とは別に、メーン基板データライン９９及びサブ基板データライン９９０が独立して駆動されるだけではなく、メーン基板スキャンライン９８及びサブ基板スキャンライン９８０もそれぞれ駆動可能である。
【００９８】
　図１０Ａは、本発明の第５実施形態によるデュアル型有機電子発光素子のうちメーン有機電子発光素子１を図示したものであり、図１０Ｂは、サブ有機電子発光素子１０００を図示したものである。
【００９９】
　ここでは、メーン有機電子発光素子１及びサブ有機電子発光素子１０００の基板上に形成される電極ラインだけを言及する。
【０１００】
　図１０Ａ及び図１０Ｂを参照すれば、メーン有機電子発光素子１用メーン基板１ａには所定間隔に離隔されるようにストリップ状のメーン基板スキャンライン３が形成されている。メーン基板スキャンライン３と直交する方向にはメーン基板データライン６が配置されている。
【０１０１】
　この時、メーン基板１ａには所定間隔に離隔されるようにフローティング電極ライン９が設計されている。フローティング電極ライン９はメーン基板データライン６と隣接した位置でメーン基板１ａ上に配置されている。フローティング電極ライン９はメーン基板１ａの電極ラインと直接連結されずに、別途にパターン化された電極ラインである。
【０１０２】
　このために、メーン基板１ａにはメーン基板データライン６がそのピッチを狭くして一側に集合されている。このように、メーン基板データライン６がピッチを縮めてメーン基板１ａ上に存在する余裕空間にはフローティング電極ライン９が形成されている。
【０１０３】
　サブ有機電子発光素子１０００用サブ基板１１００には所定間隔に離隔されるようにストリップ状のサブ基板スキャンライン１３００が形成されている。サブ基板スキャンライン１３００と直交する方向にはサブ基板データライン１６００が配置されている。サブ基板スキャンライン１３００及びサブ基板データライン１６００はメーン基板スキャンライン３及びメーン基板データライン６と平行した方向に設計されている。
【０１０４】
　この時、サブ基板１１００にはサブ基板データライン１６００がフローティング電極ライン９と電気的に接続されるために一側に集合されている。すなわち、サブ基板データライン１６００は電極パターンの設計時に、フローティング電極ライン９と対応される位置に形成されている。このように、フローティング電極ライン９がメーン基板１ａ上に形成されることは外部から印加される駆動信号をメーン基板１ａから共に提供するためである。
【０１０５】
　前述した構造のデュアル型有機電子発光素子は有効画面表示部の縁部に沿って前述した導電性スペーサを含むシーラントが塗布されて選択的にメーン基板スキャンライン３と、サブ基板スキャンライン１３００とを通電させ、これにスキャン用ＦＰＣを連結させられる。また、フローティング電極９とサブ基板データライン１６００との間に導電性スペーサを含むシーラントを塗布して電気的に連結させうる。
【０１０６】
　結果的に、メーン基板１ａからそれぞれの電極ラインを配置させ、この電極ラインに駆動チップが実装されたＦＰＣを接続させて独立または同時に画像を駆動する信号を印加しうる。
【０１０７】
　本発明は図面に示された一実施形態を参考として説明されたが、これは例示的なものに過ぎず、当業者であれば、これより多様な変形及び均等な他の実施形態が可能である点が理解できるであろう。したがって、本発明の真の保護範囲は特許請求の範囲の記載に基づいて定められねばならない。
【産業上の利用可能性】
【０１０８】
　本発明は異方性の導電性スペーサを含むシーラントによって有効画面表示部が密閉されたデュアル型有機電子発光素子を提供して、電気的信号を伝達する駆動チップの数を大幅に減らることができる。
【図面の簡単な説明】
【０１０９】
【図１】従来の一例によるデュアル型有機電子発光素子の断面図である。
【図２Ａ】図１のメーン有機電子発光素子の電極ラインが形成されたことを図示した概略図である。
【図２Ｂ】図１のサブ有機電子発光素子の電極ラインが形成されたことを図示した概略図である。
【図３Ａ】図１のメーン有機電子発光素子の概略図である。
【図３Ｂ】図１のサブ有機電子発光素子の概略図である。
【図４】本発明の第１実施形態によるデュアル型有機電子発光素子の断面図である。
【図５】本発明の第２実施形態によるデュアル型有機電子発光素子の分離斜視図である。
【図６Ａ】図５のメーン有機電子発光素子の電極ラインが形成されたことを図示した概略図である。
【図６Ｂ】図５のサブ有機電子発光素子の電極ラインが形成されたことを図示した概略図である。
【図７】図５の導電性スペーサが介在された部分を図示した断面図である。
【図８】本発明の第３実施形態によるデュアル型有機電子発光素子の概略図である。
【図９】本発明の第４実施形態によるデュアル型有機電子発光素子の概略図である。
【図１０Ａ】本発明の第５実施形態によるメーン有機電子発光素子の電極ラインが形成されたことを図示した概略図である。
【図１０Ｂ】本発明の第５実施形態によるサブ有機電子発光素子の電極ラインが形成されたことを図示した概略図である。
【符号の説明】
【０１１０】
５０メーン有機電子発光素子
５１メーン基板
５１ａメーン基板の一縁部
５１ｂメーン基板の他縁部
５２メーン基板有機発光部
５３メーン基板スキャンライン
５４メーン基板絶縁膜
５５メーン基板有機膜
５６メーン基板データライン
５７シーラント
６１スキャンライン用ＦＰＣ
６２スキャンライン用配線 
６３、６６駆動チップ
６４データライン用ＦＰＣ
６５データライン用配線
５００サブ有機電子発光素子
５１０、５１１サブ基板
５２０サブ基板有機発光部
５３０サブ基板スキャンライン
５４０サブ基板絶縁膜
５５０サブ基板有機膜
５６０サブ基板データライン
５７０吸湿剤
【図１】
2004110044.tif 000003
【図２Ａ】
2004110044.tif 000004
【図２Ｂ】
2004110044.tif 000005
【図３Ａ】
2004110044.tif 000006
【図３Ｂ】
2004110044.tif 000007
【図４】
2004110044.tif 000008
【図５】
2004110044.tif 000009
【図６Ａ】
2004110044.tif 000010
【図６Ｂ】
2004110044.tif 000011
【図７】
2004110044.tif 000012
【図８】
2004110044.tif 000013
【図９】
2004110044.tif 000014
【図１０Ａ】
2004110044.tif 000015
【図１０Ｂ】
2004110044.tif 000016